(57)【特許請求の範囲】
【請求項１】
調整治具本体の一端に形成されるとともにノズル口の導水路に外部側から挿入される挿入ピンと、調整治具本体の他端に形成され可視光を平行光に変換するレンズ体と、可視光を発光する光源とを備え、前記挿入ピンの軸線と前記レンズ体の光軸とを同一軸線上に配設し、前記レンズ体からの発射光によって前記調整治具本体を調整し前記ノズル口に挿入された挿入ピンを介してノズルの噴射角度を調整することを特徴とするノズルの噴射角度調整治具。
【請求項２】
光源は、調整治具本体とは別体に構成し、可撓性を有する光伝導部材によってレンズ体と接続したことを特徴とする請求項１記載のノズルの噴射角度調整治具。
【発明の詳細な説明】
【０００１】
【発明の属する技術分野】
本発明は、液体を噴射するノズル、特に自動車用のウィンド・ウオッシャ液噴射ノズルの噴射角度調整治具に関するものである。
【０００２】
【従来の技術】
一般に従来の液体を噴射するノズル、特に車両等のウィンド・ウオッシャ液噴射ノズルの噴射角度の調整は、ポンプにて１.３Kgf／cm2程度に加圧した水道水を実際に噴射して、その都度噴射角度を調整していた。図５に示すように、ノズル本体５を固定用の受け治具６に装着し、給水用管７を接続する。給水用管７からは、水道水が供給される。また、ノズル本体５の噴出口５ａには、球形のノズル口８が中央に穿設された導水路８ａの方向を変更できるように嵌合されている。
【０００３】
このように構成された液体噴射ノズルは、球形のノズル口８の導水路８ａに調整ピン９を挿入し、角度を振っては、水を出して的の位置を確かめ、再度ピンを挿入して角度調整を行う作業を繰り返していた。
【０００４】
【発明が解決しようとする課題】
しかし、上述したように従来の実際にポンプで加圧した水道水をノズルから噴射して的に当てるようにノズル穴（導水路）の向きを調整する方法では、何度も実際に水を出して調整しなければならず、調整作業が煩雑となり、手間と時間のかかる能率の悪いものであった。また、作業者が水に濡れる為に、冬の作業は冷たく、手が荒れるものであった。更に、水道水中に含まれるカルシュウム（Ｃａ）が炭酸カルシュウム（ＣａＣＯ3）となり、ノズルの先端出口付近に付着して水の噴出方向が変化して的に当たらなくなると云う欠点が存在した。
【０００５】
本発明の目的は、これら従来のノズルの噴射角度調整作業の問題点に鑑み、為されたもので、ノズルの噴射角度の調整作業を迅速且つ正確にできるノズルの噴射角度調整治具を提供することにある。
【０００６】
【課題を解決するための手段】
上記目的を達成するために、本発明のノズルの噴射角度調整治具は、調整治具本体の一端に形成されるとともにノズル口の導水路に外部側から挿入される挿入ピンと、調整治具本体の他端に形成され可視光を平行光に変換するレンズ体と、可視光を発光する光源と、該光源で発生した光を前記レンズ体へ導く光伝導部材とを備え、前記挿入ピンの軸線と前記レンズ体の光軸とを同一軸線上に配設し、前記レンズ体からの発射光によって前記調整治具本体を調整し前記ノズル口に挿入された挿入ピンを介してノズルの噴射角度を調整することを特徴とするものである。
【０００７】
前記光源は、調整治具本体とは別体に構成し、可撓性を有する光伝導部材によってレンズ体と接続したことを特徴とするものである。
【０００８】
【発明の実施の形態】
以下、本発明の実施例について、図面を参照しつつ説明する。図１は、本発明の一実施例であるノズルの噴射角度調整治具を示す一部を切欠いた構成図である。
ここで、ノズルの噴射角度調整治具１０は、調整治具本体１０ａの一端に形成された挿入ピン１１と、調整治具本体１０ａの他端に形成されたレンズ体１２と、可視光を発光する光源１３と、該光源１３で発生した光を前記レンズ体１２へ導く光伝導部材１４とを備えている。
【０００９】
挿入ピン１１は、先端部が細くなった緩いテーパー状に形成されている。テーパー角度は、図２に示すように例えば０．４５８度に形成されている。また、球形のノズル口８の導水路８ａも同様の緩いテーパー状に形成されている。したがって、導水路８ａに挿入ピン１１を挿入してもガタが生じる虞がない。
【００１０】
調整治具本体１０ａは、挿入ピン１１とレンズ体１２との間の直線性を損なわない剛性を有しており、軽くて変形し難いアルミニュウム等の軽合金で構成されている。
【００１１】
レンズ体１２は、コリメーターレンズを構成しており、光伝導部材１４によって伝達された可視光を平行光に変換して、的１５に向けて発射する。また、レンズ体１２から発射される光の光軸と挿入ピン１１の軸線とは、同一軸線上にある。
【００１２】
光源１３は、調整治具本体１０ａとは別体に構成されており、光伝導部材１４でレンズ体１２と接続されている。光源１３は、レーザー発振器或いは可視光の発光器である。
【００１３】
光伝導部材１４は、ガラス等の透明材料の細線を多数束ねた光ファイバーから構成されており、可撓性を有している。したがって、光源１３と調整治具本体１０ａとを別体としても作業性に影響を与える事なく、調整治具本体１０ａの軽量化を図る事ができる。
【００１４】
次に、以上のように構成されたノズルの噴射角度調整治具１０の使用方法について説明する。先ず、ノズルの噴射角度調整治具１０の一端に形成された挿入ピン１１を、図１に示すように、外部側からノズル口８の導水路８ａにガタの無いように挿入する。そして、光源１３からの光を的１５に当てるように調整治具本体１０ａを調整し前記挿入ピン１１を介して前記ノズル口８の導水路８ａの角度を調整する。光は直進するが、水は放物線を描いて噴出されるので、対比校正した位置に的１５を配置する。
【００１５】
このようにして、ノズル口８の導水路８ａの角度を一度で調整する事ができる。また、従来のように実際に水を噴射する必要がないので、調整治具をいちいち外す手数省ける。このため、作業能率を従来の約３倍程度に向上する事ができる。
【００１６】
以上の実施例では、光源１３を調整治具本体１０ａ別体に構成する場合について説明したが、両者を一体的に構成しても良い。
尚、本発明は以上の実施例に限ることなく本発明の技術思想に基づいて種々の設計変更が可能である。
【００１７】
【発明の効果】
以上説明したように、本発明のノズルの噴射角度調整治具では、調整治具本体の一端に形成されるとともにノズル口の導水路に外部側から挿入される挿入ピンと、調整治具本体の他端に形成され可視光を平行光に変換するレンズ体と、可視光を発光する光源とを備え、前記挿入ピンの軸線と前記レンズ体の光軸とを同一軸線上に配設し、前記レンズ体からの発射光によって前記調整治具本体を調整し前記ノズル口に挿入された挿入ピンを介してノズルの噴射角度を調整するものなので、実際に水を噴出する事なく、しかも、一回でノズルの噴射角度の調整ができる。したがって、作業能率を約３倍に向上する事ができる。また、ウォッシャーノズルの規格は、水噴射により規定されている為に、直進する光と放物線を描く水との相違は、対比校正によって行う。実際には、抜き取り検査法により、対比校正を行う。
【００１８】
前記光源は、調整治具本体とは別体に構成し、光ファイバーによって前記レンズ体と接続したので、噴射角度調整治具本体の重量を軽くする事ができ、取り扱いを容易にする事ができる。また、重量を軽くする事により治具を挿入した場合にノズルが重さで回転してしまうのを防止する事ができる。
【００１９】
前記挿入ピンは、緩いテーパー加工を施し、ノズル口の導水路に隙間なく嵌合できるので、ノズルの噴射穴と光軸との間に誤差が生じる事がない。また、前記調整治具本体は、挿入ピンとレンズ体との間の直線性を損わない剛性を有しているので、ノズル穴の調整に際して光軸が歪む事による誤差を未然に防止する事ができる。
【図面の簡単な説明】
【図１】本発明の一実施例であるノズルの噴射角度調整治具を示す一部を切欠いた構成図である。
【図２】同ノズルの噴射角度調整治具の挿入ピンを示す要部拡大図である。
【図３】同ノズルの噴射角度調整治具を使用するノズルの側面図である。
【図４】同ノズルの噴射角度調整治具を使用するノズルの正面図である。
【図５】従来の噴射角度の調整原理を示す説明図である。
【符号の説明】
５          ノズル本体
５ａ        噴出口
６          受け治具
７          給水用管
８          ノズル口
８ａ        導水路
９          調整ピン
１０          ノズルの噴射角度調整治具
１１          挿入ピン
１２          レンズ体
１３          光源
１４          光伝導部材
１５          的
【図１】
0003664833.tif 000002
【図２】
0003664833.tif 000003
【図３】
0003664833.tif 000004
【図４】
0003664833.tif 000005
【図５】
0003664833.tif 000006